(57)【要約】【課題】セルラ形移動通信ネットワークにおいて移動機（無線機）のハンドオフ（移動に伴う係属先基地局の変更）が必要になったとき、ハンドオフ先として適切な基地局が当該移動機の周辺にありながら、その時点で移動機が保持している周辺基地局リストに記載されていない等の理由により、圏外判定がされて全基地局をサーチせざるを得なくなるというイベントの発生確率を下げて、移動機のバッテリーの消耗を抑える。【解決手段】メモリ２０は、現在の係属先基地局から得た周辺基地局の情報である周辺基地局リスト（Ｎ）２１ａに加えて、２つ前までの係属先基地局からそれぞれ得た周辺基地局リスト（Ｎ−１）２１ｂ及び周辺基地局リスト（Ｎ−２）２１ｃを拡大周辺基地局リスト２２として保持し、制御部１０は、これらの全範囲にわたってハンドオフ先基地局の候補をサーチする。【選択図】  図１
2004242139.tif 000002
【特許請求の範囲】
【請求項１】
移動通信ネットワークにおいて用いられる無線機における基地局の選択方法において、
前記無線機は、係属しているセルの基地局から受信する周辺セルの基地局の識別情報が記載される周辺基地局リストをメモリに累積して記憶し、
係属しているセルの基地局から受信した周辺基地局リスト又は前記累積して記憶された周辺基地局リスト周辺基地局リストの少なくとも１つに識別情報が記載されるすべての基地局との間の通信品質を測定し、
その測定の結果、予め定められた基準以上の通信品質が得られる基地局を新たな通信先として選択する
ことを特徴とする無線機における基地局の選択方法。
【請求項２】
無線機は、周辺基地局リストを、新たに通信する基地局の選択処理が所定回数に経るまでメモリに累積して記憶することを特徴とする請求項１記載の基地局選択方法。
【請求項３】
無線機は、周辺基地局リストを、所定時間に経るまでメモリに累積して記憶することを特徴とする請求項１記載の基地局選択方法。
【請求項４】
前記通信品質の測定は、基地局からのパイロット信号の受信信号レベルを測定することを特徴とする請求項１に記載の無線機における基地局の選択方法。
【請求項５】
前記通信品質の測定の結果は、前記受信信号レベルが通信を維持するための維持基準値又は新たに通信する基地局の選択処理に必要とされる基準値を満たしているか否かの判定として用いられることを特徴とする請求項４に記載の無線機における基地局の選択方法。
【請求項６】
移動通信ネットワークにおいて用いられる無線機における基地局の選択方法において、
前記無線機は、係属しているセルの基地局から受信する周辺セルの基地局の識別情報が記載される周辺基地局リストをメモリに累積して記憶し、
係属しているセルの基地局から受信して記憶した周辺基地局リストに識別情報が記載されるすべての基地局との間の通信品質を測定し、
この測定の結果、予め定められた基準以上の通信品質が得られる基地局が存在しないと判断した場合は、前記累積して記憶される周辺基地局リストに識別情報が記載されるすべての基地局との間の通信品質を測定し、
これらの測定の結果、予め定められた基準以上の通信品質が得られる基地局を新たな通信先として選択する
ことを特徴とする無線機における基地局の選択方法。
【請求項７】
無線機は、周辺基地局リストを、新たに通信する基地局の選択処理が所定回数に経るまでメモリに累積して記憶することを特徴とする請求項６記載の基地局選択方法。
【請求項８】
無線機は、周辺基地局リストを、所定時間に経るまでメモリに累積して記憶することを特徴とする請求項６記載の基地局選択方法。
【請求項９】
前記通信品質の測定は、基地局からのパイロット信号の受信信号レベルを測定することを特徴とする請求項６に記載の無線機における基地局の選択方法。
【請求項１０】
前記通信品質の測定の結果は、前記受信信号レベルが通信を維持するための維持基準値又は新たに通信する基地局の選択処理に必要とされる基準値を満たしているか否かの判定として用いられることを特徴とする請求項９に記載の無線機における基地局の選択方法。
【請求項１１】
移動通信ネットワークにおいて用いられる無線機において、
係属しているセルの基地局から受信する周辺セルの基地局の識別情報が記載される周辺基地局リストをメモリに累積して記憶する記憶制御手段と、
係属しているセルの基地局から受信した周辺基地局リスト又は前記累積して記憶された周辺基地局リスト周辺基地局リストの少なくとも１つに識別情報が記載されるすべての基地局との間の通信品質を測定する測定手段と、
その計測の結果、予め定められた基準以上の通信品質が得られる基地局を新たな通信先として選択する選択手段と
を備えたことを特徴とする無線機。
【請求項１２】
前記記憶制御手段は、周辺基地局リストを、新たに通信する基地局の選択処理が所定回数に経るまでメモリに累積して記憶することを特徴とする請求項１１記載の基地局選択方法。
【請求項１３】
前記記憶制御手段は、周辺基地局リストを、所定時間に経るまでメモリに累積して記憶することを特徴とする請求項１１記載の基地局選択方法。
【請求項１４】
前記通信品質の測定は、基地局からのパイロット信号の受信信号レベルを測定することを特徴とする請求項１１に記載の無線機における基地局の選択方法。
【請求項１５】
前記通信品質の測定の結果は、前記受信信号レベルが通信を維持するための維持基準値又は新たに通信する基地局の選択処理に必要とされる基準値を満たしているか否かの判定として用いられることを特徴とする請求項１４に記載の無線機における基地局の選択方法。
【請求項１６】
移動通信ネットワークにおいて用いられる無線機において、
係属しているセルの基地局から受信する周辺セルの基地局の識別情報が記載される周辺基地局リストをメモリに累積して記憶する記憶制御手段と、
係属しているセルの基地局から受信して記憶した周辺基地局リストに識別情報が記載されたすべての基地局との間の通信品質を測定する第１の測定手段と、
前記累積して記憶された周辺基地局リストに識別情報が記載されるすべての基地局との間の通信品質を測定する第２の測定手段と、
前記第１の測定手段による測定の結果、予め定められた基準以上の通信品質が得られる基地局が存在しないと判断した場合は、前記第２の測定手段により周辺基地局リスト予め定められた基準以上の通信品質が得られる基地局を新たな通信先として選択する選択手段と
を備えたことを特徴とする無線機。
【請求項１７】
記憶制御手段は、周辺基地局リストを、新たに通信する基地局の選択処理が所定回数に経るまでメモリに累積して記憶することを特徴とする請求項１６記載の無線機。
【請求項１８】
記憶制御手段は、周辺基地局リストを、所定時間に経るまでメモリに累積して記憶することを特徴とする請求項１６記載の無線機。
【請求項１９】
前記測定手段は、基地局からのパイロット信号の受信信号レベルを測定することを特徴とする請求項１６に記載の無線機。
【請求項２０】
前記受信信号レベルは、通信を維持するための維持基準値又は新たに通信する基地局の選択処理に必要とされる基準値を満たしているか否かの判定に用いられることを特徴とする請求項１９に記載の無線機。
【請求項２１】
移動通信ネットワークで用いられる無線機の制御回路において、
係属しているセルの基地局から受信する周辺セルの基地局の識別情報が記載される周辺基地局リストをメモリに累積して記憶する記憶制御手段と、
係属しているセルの基地局から受信した周辺基地局リスト又は前記累積して記憶された周辺基地局リスト周辺基地局リストの少なくとも１つに識別情報が記載されるすべての基地局との間の通信品質を測定する測定手段と、
その計測の結果、予め定められた基準以上の通信品質が得られる基地局を新たな通信先として選択する選択手段と
を備えたことを特徴とする制御回路。
【請求項２２】
前記記憶制御手段は、周辺基地局リストを、新たに通信する基地局の選択処理が所定回数に経るまでメモリに累積して記憶することを特徴とする請求項２１記載の制御回路。
【請求項２３】
前記記憶制御手段は、周辺基地局リストを、所定時間に経るまでメモリに累積して記憶することを特徴とする請求項２１記載の制御回路。
【請求項２４】
前記通信品質の測定は、基地局からのパイロット信号の受信信号レベルを測定することを特徴とする請求項２１に記載の制御回路。
【請求項２５】
前記通信品質の測定の結果は、前記受信信号レベルが通信を維持するための維持基準値又は新たに通信する基地局の選択処理に必要とされる基準値を満たしているか否かの判定として用いられることを特徴とする請求項２４に記載の制御回路。
【請求項２６】
移動通信ネットワークで用いられる無線機の制御回路において、
係属しているセルの基地局から受信する周辺セルの基地局の識別情報が記載される周辺基地局リストをメモリに累積して記憶する記憶制御手段と、
係属しているセルの基地局から受信して記憶した周辺基地局リストに識別情報が記載されたすべての基地局との間の通信品質を測定する第１の測定手段と、
前記累積して記憶された周辺基地局リストに識別情報が記載されるすべての基地局との間の通信品質を測定する第２の測定手段と、
前記第１の測定手段による測定の結果、予め定められた基準以上の通信品質が得られる基地局が存在しないと判断した場合は、前記第２の測定手段により周辺基地局リスト予め定められた基準以上の通信品質が得られる基地局を新たな通信先として選択する選択手段と
を備えたことを特徴とする制御回路。
【請求項２７】
記憶制御手段は、周辺基地局リストを、新たに通信する基地局の選択処理が所定回数に経るまでメモリに累積して記憶することを特徴とする請求項２６記載の制御回路。
【請求項２８】
記憶制御手段は、周辺基地局リストを、所定時間に経るまでメモリに累積して記憶することを特徴とする請求項２６記載の制御回路。
【請求項２９】
前記測定手段は、基地局からのパイロット信号の受信信号レベルを測定することを特徴とする請求項２６に記載の制御回路。
【請求項３０】
前記受信信号レベルは、通信を維持するための維持基準値又は新たに通信する基地局の選択処理に必要とされる基準値を満たしているか否かを判定されることを特徴とする請求項２９に記載の制御回路。
【発明の詳細な説明】
【０００１】
【発明の属する技術分野】
本発明は、セルラ移動通信ネットワークにおいて用いられる無線機のハンドオフ先基地局の選択方法、当該無線機及び制御回路に係り、特にハンドオフ先基地局のサーチ確度を高めて、バッテリーの消耗を招く全基地局サーチの頻度を下げることのできるハンドオフ先基地局の選択方法、無線機及び無線機の制御回路に関する。
【０００２】
【従来の技術】
現在、運用されている符号分割多元接続（ＣＤＭＡ）方式のセルラ移動通信ネットワークにおいて用いられる無線機（以下ネットワークの構成要素として説明するときは、移動機という。）は、受信待受け中及び通話中のいずれの場合も、係属しているセルの基地局から、ハンドオフ（移動に伴う係属先基地局の変更）に備えて、周辺セルの基地局の識別する識別情報が記載された周辺基地局リストをセルラ移動通信ネットワークから受信する。
【０００３】
例えば、符号分割多元接続（ＣＤＭＡ）方式においてスライディング相関器により初期接続を行うシステムの場合は、上記の基地局の識別情報は、パイロット信号の拡散符号の基地局ごとに異なる初期位相オフセット値として与えられる。移動機はこれをキーとして、周辺基地局リストに基地局を識別する識別情報が記載された周辺セルの基地局から送られるパイロット信号を時分割的に受信し、逆拡散処理を行って、それら周辺基地局との間の通信品質（例えば信号対干渉比又は受信信号レベル）を計測する（以上の処理を基地局サーチという。）と共に、通信品質が最も高い１つの基地局を選択して、係属しているセルの基地局に対して通知する。
【０００４】
その後、当該係属中の基地局を通じてこの情報を受け取ったセルラ移動通信ネットワークから移動局に対して、必要に応じてハンドオフ先の基地局が指示されることとなる。
【０００５】
一方、上記サーチの結果、通信品質が所定の基準値を上回る基地局が周辺基地局リスト中に発見されなければ、当該周辺基地局リストに記載された全セルの圏外であると判定される。その場合移動機は、上記のパイロット信号の拡散符号の初期位相オフセット値を全周にわたってサーチし、最も高い通信品質が得られる１の基地局を選択する必要がある。この処理は、いわば基地局の選択に関するイニシャルリセットに相当する動作であって、相当の処理時間と消費電力を要し、その頻度が高くなると移動機のバッテリーの消耗を招くもととなる。
【０００６】
上記の圏外判定がされるケース及びその原因は多岐にわたるが、その１つに、各基地局と移動機間の相対的な位置関係の変化によって、使用している周辺基地局リストが必ずしも最適とはいえなくなるケースが挙げられる。
【０００７】
図４は、そのようなケースの一例を説明する図である。この図において、移動機（ＭＳ）は、最初の位置で基地局Ａ（ＢＳ−Ａ）に係属しており、基地局Ａ（ＢＳ−Ａ）の周辺基地局リストには周辺セルの基地局Ｂ（ＢＳ−Ｂ）が記載されているものとする。移動機（ＭＳ）が第２の位置へ移動しても、その状態は変わらないが、さらに第３の位置に移動した時は、障害物１によって基地局Ａ（ＢＳ−Ａ）との間の通信が遮られる。このとき、移動機（ＭＳ）は周辺基地局リストに記載されていた基地局Ｂ（ＢＳ−Ｂ）にハンドオフされ係属している。
【０００８】
次に、移動機（ＭＳ）が第４の位置へ移動すると、障害物２によって基地局Ｂ（ＢＳ−Ｂ）との間の通信が遮られる。第４の位置は基地局Ｃ（ＢＳ−Ｃ）の近傍にあるが、基地局Ｃ（ＢＳ−Ｃ）が基地局Ｂ（ＢＳ−Ｂ）の周辺基地局リストに記載されておらず、かつ、基地局Ｂ（ＢＳ−Ｂ）の周辺基地局リストに記載された他の基地局と移動機（ＭＳ）との間の通信品質も第４の位置においては十分ではないような場合には、移動機（ＭＳ）は係属していた基地局Ｂ（ＢＳ−Ｂ）の周辺基地局リストの圏外であると判定して、上述した圏外判定時の処理を行わざるを得ない。
【０００９】
実際の移動通信環境はきわめて複雑多岐にわたるため、サービスエリアのあらゆる位置で最適なハンドオフを行えるように周辺基地局リストを準備することは難しく、このようなケースは珍しくないものと考えられる。
【００１０】
移動機がハンドオフ先の基地局をサーチする時間を短縮して消費電力を抑えるという発明は、これまでにもなされている（例えば、特許文献１及び特許文献２参照）。この特許文献１に開示された発明は、移動機が過去において係属していたセルの基地局に対してハンドオフ先候補として通知した周辺セルの基地局情報と重み付けの値が、前記周辺セルの基地局情報入手した時点の移動機の位置情報に関連づけされ、共に基地局関連情報データベースに格納し、次に再び同じセルに進入したときに、この基地局関連情報データベースを基地局から得る周辺基地局リストよりも優先してサーチすることにより、ハンドオフ先候補の基地局を選択するというものである。
【００１１】
一方、この特許文献２に開示された発明は、基地局から送信されるパイロット信号のサーチを行い、その結果検出したパイロット信号を送信する基地局の周辺基地局情報を取得し、前記取得した周辺基地局情報に基づきサーチを行う、というものである。
【００１２】
【特許文献１】
特開２００２−１７１５５５号公報（第２乃至５ページ、図１）
【００１３】
【特許文献２】
特開２００１−５４１５６号公報（第６ページ、図２）
【００１４】
【発明が解決しようとする課題】
上記の特許文献１に開示された発明は、ハンドオフ先の基地局をサーチする時間の短縮に有効であるが、基地局関連データベースに登録されたセルのうち適切なセルを特定するために移動機の位置情報を利用するため、新たに位置情報取得手段が必要とされる。
【００１５】
一方、特許文献２に開示された発明は、サーチの結果に基づき周辺基地局情報を取得するため、移動機が現通信中もしくは待受け中である以外の基地局から新たに制御情報を受信する動作が必要である。例えば、移動機の待受けモード時に適用する場合、当該基地局からの制御信号以外に、定期的に周辺基地局の制御情報を受信することになる。これは、移動機のバッテリー寿命を著しく低下させる要因となる。
【００１６】
そこで、本発明は、移動機の位置情報を利用しなくてもよく、前期周辺基地局情報の取得のため新たに制御信号の受信を行うこともなく、周辺セルの基地局がその時点の周辺基地局リストに記載されていなくてもこれをサーチして見出すことを可能とするため、圏外判定時の処理に至る確率を下げて、これに起因する移動機のバッテリー消耗を抑える無線機のハンドオフ先基地局の選択方法及び無線機を提供することを目的とする。
【００１７】
【課題を解決するための手段】
上記目的を達成するために、本発明の無線機における基地局の選択方法は、移動通信ネットワークにおいて用いられる無線機における基地局の選択方法において、前記無線機は、係属しているセルの基地局から受信する周辺セルの基地局の識別情報が記載される周辺基地局リストをメモリに累積して記憶し、係属しているセルの基地局から受信した周辺基地局リスト又は前記累積して記憶された周辺基地局リスト周辺基地局リストの少なくとも１つに識別情報が記載されるすべての基地局との間の通信品質を測定し、その測定の結果、予め定められた基準以上の通信品質が得られる基地局を新たな通信先として選択することを特徴とする。
【００１８】
本発明によれば、周辺基地局リストの範囲を過去に遡って拡大することにより、ハンドオフ先として適切な周辺セルの基地局をサーチして見出す確率を高めることができる。
【００１９】
【発明の実施の形態】
（第１の実施の形態）
以下に、本発明の第１の実施の形態を図１を参照して説明する。本実施の形態は本発明をスライディング相関器により初期接続を行うＣＤＭＡ方式のシステムに適用するものとし、各基地局は、移動機に通信品質を計測させるためのパイロット信号を送信しており、また移動機は周期的に当該通信品質の計測を行ってハンドオフの要否判断を行うものと想定する。
【００２０】
図１は、本発明の、第１の実施の形態に係る無線機（移動機）のブロック図である。図中、１はアンテナ、２は送受切換え部、３は受信部、４は送信部、５は変復調部、６はＤＡ変換部及びドライバ、７は音声−電気変換部及びＡＤ変換部、８は受話器、９は送話器、１０は制御部、１１は表示部、１２は操作入力部、１３は電源部、１４はバッテリーである。これらはすべて、無線機の一般的な構成に含まれるものである。なお、制御部１０は矢印で結んで図示した構成以外の装置に対しても制御監視動作を行う場合があるが、本発明と直接関係がないため省略している。
【００２１】
また、２０はメモリであり、同じく無線機の一般的な構成に含まれる（例えばメモリカード等の外部記憶媒体を含む。）が、この図においては、本発明に特徴的な周辺基地局リスト等がメモリ２０の内部に構成された状態を示している。この実施の形態では、係属しているセルの基地局（以下、現ＢＳという。）がＮ番目であるとして、メモリ２０には、その現ＢＳから得た周辺基地局リストが周辺基地局リスト（Ｎ）２１ａとして格納されると共に、例えば、現ＢＳの直前に係属していた第１の基地局から報知された周辺基地局リスト（Ｎ−１）２１ｂと、この第１の基地局の直前に係属していた第２の基地局から報知された周辺基地局リスト周辺基地局リスト周辺基地局リスト（Ｎ−２）２１ｃとして併せて累積して記憶し、メモリ２０に格納されている。つまり、拡大周辺基地局リスト２２は、周辺基地局リスト（Ｎ−１）２１ｂ及び周辺基地局リスト（Ｎ−２）２１ｃによって周辺基地局リスト構成される。
【００２２】
周辺基地局リスト（Ｎ）２１ａには、現ＢＳの周辺の基地局を識別する識別情報（従来の技術において述べたパイロット信号の拡散符号の初期位相オフセット値）が記載されており、周辺基地局リスト（Ｎ−１）２１ｂ及び周辺基地局リスト（Ｎ−２）２１ｃにも、前記第１の基地局及び前記第２の基地局に関する識別情報が記載されている。また、制御部１０は当然に現ＢＳの識別情報を保持している。これら３つの周辺基地局リスト２１ａ〜２１ｃの全範囲をサーチすれば、周辺基地局リスト（Ｎ）２１ａのみをサーチする場合に比べ、ハンドオフ先として適切である基地局を検出できる確率が向上することになる。
【００２３】
例えば、周辺基地局リスト（Ｎ−１）２１ｂは、図２−１に図示される情報であり、周辺基地局リスト（Ｎ−１）２１ｃは、図２−２に図示される情報であるとすると、拡大周辺基地局リスト２２は、周辺基地局リスト（Ｎ−１）２１ｂだけでは含まれない基地局Ａ・Ｆ・Ｉの識別情報を含むことになる。つまり、周辺基地局リスト２１ａ〜２１ｃの全範囲をサーチすれば、周辺基地局リスト（Ｎ）２１ａのみをサーチする場合に比べ、ハンドオフ先として適切である基地局を検出できる確率が向上することになる。
【００２４】
ここで、本発明では拡大周辺基地局リスト（Ｎ−１）２１ｂは、無線機が過去当該基地局ＢＳ−Ｂへハンドオフした時点にて取得される基地局ＢＳ−Ｂの周辺基地局情報として記憶されたものであるので、例えば基地局ＢＳ−Ａへハンドオフ後、新たに基地局ＢＳ−Ｂから受信しなくてもよい。
【００２５】
次に、図２を併せ参照して、本発明の、第１の実施の形態に係るハンドオフ先基地局の選択方法及び無線機の動作について説明する。図２は、本発明の、第１の実施の形態におけるハンドオフ先基地局の選択方法（ハンドオフの要否判断を含む）を表すフローチャートである。
【００２６】
図２の処理を開始すると、制御部１０は現ＢＳの識別情報を変復調部５に与えて、アンテナ１、送受切換え部２及び受信部３を経て受信した現ＢＳからのパイロット信号を逆拡散させ、受信信号レベルを計測する。制御部１０はまた、メモリ２０から周辺基地局リスト（Ｎ）２１ａ及び拡大周辺基地局リスト２２に記載された各基地局の識別情報を順次得て変復調部５に与え、同様の処理を行って各基地局からのパイロット信号の受信信号レベルを計測する。このようにして、制御部１０は現ＢＳ、周辺基地局リスト（Ｎ）２１ａ及び拡大周辺基地局リスト２２の全範囲をサーチし、すべてのサーチされた基地局からのパイロット信号の受信信号レベルを知ることができる。この結果、周辺基地局リスト（Ｎ）２１ａ及び拡大周辺基地局リスト２２中で受信信号レベルが最大であった基地局を、ハンドオフ先候補（以下、候補ＢＳという。）として設定する（ステップＳ１）。
【００２７】
次に制御部１０は、現ＢＳからのパイロット信号の受信信号レベルを、予め設定された基地局との通信を維持するための基準値（以下、維持基準値という。）と比較し、これを上回っている場合には現ＢＳとの通信を維持すべきと判断して（ステップＳ２の“ＹＥＳ”）、処理を終了する。
【００２８】
逆に下回っている場合には、現ＢＳとの通信を維持することは不適切であると判断し（ステップＳ２の“ＮＯ”）、候補ＢＳの受信信号レベルの評価に移る。
【００２９】
即ち、候補ＢＳからの受信信号レベルがハンドオフに必要とされる基準値（以下、ＨＯ基準値という。）を上回る場合は（ステップＳ３の“ＹＥＳ”）、制御部１０は候補ＢＳの識別情報を、変復調部５、送信部４、送受切換え部２及びアンテナ１を経て現ＢＳに対して送信し、従来の技術において述べたとおり、候補ＢＳへのハンドオフが行われる（ステップＳ４）。また、候補ＢＳからの受信信号レベルがＨＯ基準値を下回る場合であっても、維持基準値を上回るならば（ステップＳ５の“ＹＥＳ”）、同様にして当該候補ＢＳへのハンドオフが行われる（ステップＳ４）。
【００３０】
一方、候補ＢＳからの受信信号レベルがＨＯ基準値を下回る場合（ステップＳ３の“Ｎｏ”）であって、かつ、維持基準値を下回る場合には（ステップＳ５の“ＮＯ”）、現ＢＳとの間の通信が維持できない上に、周辺基地局リスト（Ｎ）２１ａ又は拡大周辺基地局リスト２２中にも適切なハンドオフ先を見出せない状況であるから、基地局パイロット信号の拡散符号の初期位相オフセット値について全周サーチを行い、最大の受信信号レベルが得られる基地局を検出する（ステップＳ６）。これは、圏外判定時の処理を意味する。そして、検出された基地局を新たに現ＢＳに設定し（ステップＳ７）、当該新たな現ＢＳから周辺基地局リストを取得して（ステップＳ８）、拡大周辺基地局リスト２２を更新する（ステップＳ９）。
【００３１】
なお、ステップＳ４において候補ＢＳへのハンドオフが行われ、その候補ＢＳが新たな現ＢＳとなった後にも、上記ステップＳ８及びＳ９の処理が行われる。この場合、ステップＳ９においては、周辺基地局リスト（Ｎ）２１ａの内容は新たな現ＢＳから取得した周辺基地局リストの内容となり、また、周辺基地局リスト（Ｎ−１）２１ｂ及び周辺基地局リスト（Ｎ−２）２１ｃの内容はその１つ後に係属した基地局から得た周辺基地局リストの内容となるよう、それぞれ書き換えられる。
【００３２】
即ち、本実施の形態においては、１の基地局から受信した周辺基地局リストの内容は、その後２回のハンドオフを経ても保持され、３回目のハンドオフの時に棄却されることとなる。
【００３３】
本発明の、第１の実施の形態によれば、ハンドオフ先として適切である基地局を検出できる確率が向上し、圏外判定時の処理に至る頻度を下げて無線機の消費電力を抑えることができる。
【００３４】
なお、遡ってメモリに保持する周辺基地局リストの数は２に限らずいくつでもよく、サーチの成功率とサーチ所要時間及び電力消費とのトレードオフによって最適値を選択すればよい。通信品質の指標についても、受信信号レベル以外の値（例えば信号対干渉比）を用いてもよい。
【００３５】
また、本実施の形態はスライディング相関器により初期接続を行うＣＤＭＡ方式のシステムを例にとって説明したが、本発明はこれに限定されるものではなく、移動通信ネットワークが基地局を介して周辺基地局リストを移動局に報知し、移動局が報知された周辺基地局リストを受信するシステムであれば、本発明は適用できる。
【００３６】
また、拡大周辺基地局リスト２２の構成は問わないものであり、１つのファイル、テーブルとしてメモリ２０に記憶されていてもよいし、複数に分割された状態で記憶されていても良い。
【００３７】
（第２の実施の形態）
次に図３を参照して、本発明の、第２の実施の形態に係るハンドオフ先基地局の選択方法及び無線機の動作について説明する。図３は、本発明の第２の実施の形態におけるハンドオフ先基地局の選択方法（ハンドオフの要否判断を含む）を表すフローチャートである。なお、無線機の構成は第１の実施の形態におけるのと同一であるので、その説明は省略する。
【００３８】
図３の処理を開始すると、制御部１０は第１の実施の形態における処理と同様に、現ＢＳからのパイロット信号を変復調部５に逆拡散させ、受信信号レベルを計測する。制御部１０はまた、メモリ２０から周辺基地局リスト（Ｎ）２１ａに記載された各基地局の識別情報を順次得て、同様の処理を行って各基地局からのパイロット信号の受信信号レベルを計測する。ここで、拡大周辺基地局リスト２２を除外し、周辺基地局リスト（Ｎ）２１ａの全範囲をサーチする点が、実施の形態１との相違である。この結果、周辺基地局リスト（Ｎ）２１ａ中で受信信号レベルが最大であった基地局を、候補ＢＳとして設定する（ステップＳ１０）。
【００３９】
以下、現ＢＳ又は候補ＢＳからの受信信号レベルの各基準値との比較（ステップＳ２乃至ステップＳ５）は、第１の実施の形態における処理と同様である。ステップＳ５において、候補ＢＳからの受信信号レベルが維持基準値を下回る場合には（ステップＳ５の“ＮＯ”）、制御部１０は拡大周辺基地局リスト２２の全範囲をサーチし、受信信号レベルが最大であった基地局を改めて候補ＢＳとして設定する（ステップＳ１１）。
【００４０】
つまり、本発明の、第２の実施の形態においては、第１の実施の形態のように最初から拡大周辺基地局リスト２２をサーチ範囲に含めるのではなく、まず、周辺基地局リスト（Ｎ）２１ａをサーチし、その範囲では適切なハンドオフ先の基地局を見出せなかった場合に初めて拡大周辺基地局リスト２２をサーチするという手順を踏むこととなる。
【００４１】
次に、上記の新たな候補ＢＳからの受信信号レベルが維持基準値を下回る場合には（ステップＳ１２の“ＮＯ”）、第１の実施の形態における処理と同様にして圏外判定時の処理を行う（ステップＳ６、Ｓ７）。圏外判定時の処理又はハンドオフの後、新たな現ＢＳから周辺基地局リストを取得し（ステップＳ８）、拡大周辺基地局リスト２２を更新する（ステップＳ９）処理は、第１の実施の形態における処理と同様である。
【００４２】
本発明の第２の実施の形態によれば、周辺基地局リスト（Ｎ）２１ａをサーチしてハンドオフ先の基地局が見つからない場合に限って拡大周辺基地局リスト２２をサーチするので、さらにサーチ時間及び消費電力を低減させることができる。
【００４３】
なお、このとき使用する拡大周辺基地局リスト２２に含まれる基地局のうち、周辺基地局リスト（Ｎ）２１ａに存在し、既にＳ１０においてサーチが実行された基地局については、Ｓ１１の処理におけるサーチ対象から除外してもよい。こうすることで、さらにサーチ時間及び消費電力を低減させることができる。
【００４４】
なお、過去の周辺基地局リストから構成される拡大周辺基地局リスト内の基地局に、例えば、サーチ頻度やサーチ結果の受信レベル、ハンドオフ回数、または手順Ｓ３におけるハンドオフ候補回数などを元に優先度をつけ、例えば、優先順位別リストを複数個作成し、優先度の高いリスト順にサーチし、Ｓ１１からＳ１２の手順を優先順位別リスト数だけ繰り返すことで、さらにサーチ時間及び消費電力を低減させることができる。
【００４５】
なお、遡ってメモリに保持する周辺基地局リストの数は２つに限らないこと、通信品質の指標は受信信号レベルに限らないこと、及びスライディング相関器により初期接続を行うＣＤＭＡ方式以外の方式のシステムにも適用できることは、第１の実施の形態の場合と同様である。
【００４６】
本発明の実施の形態においては、周辺基地局リストは、所定のハンドオフの処理が行なわれるまでメモリに記憶されるものとして説明したが、本発明はこれに限定されず、たとえば、所定時間の間、遡ってメモリに周辺基地局リストを記憶することでも良い。つまり、この場合、所定時間の間に記憶された複数の周辺基地局リストが拡大周辺基地局リストとなる。
【００４７】
本発明の実施の形態においては、基地局選択処理は、待受時に行なわれるものとして説明したが、本発明はこれに限定されず、たとえば、通信時の基地局選択処理にも適用できるものである。
【００４８】
【発明の効果】
本発明によれば、移動機の移動に伴う円滑なハンドオフにより、移動機の電力消費を低減させると共に、安定して通信を維持することができる。
【図面の簡単な説明】
【図１】本発明の第１の実施の形態に係る無線機のブロック図。
【図２】本発明の第１の実施の形態のフローチャート。
【図３】本発明の第２の実施の形態のフローチャート。
【図４】従来の技術により問題が生じるケースの説明図。
【符号の説明】
１  アンテナ
２  送受切換え部
３  受信部
４  送信部
５  変復調部
６  ＤＡ変換部及びドライバ
７  音声−電気変換部及びＡＤ変換部
８  受話器
９  送話器
１０  制御部
１１  表示部
１２  操作入力部
１３  電源部
１４  バッテリー
２０  メモリ
２１ａ  周辺基地局リスト（Ｎ）
２１ｂ  周辺基地局リスト（Ｎ−１）
２１ｃ  周辺基地局リスト（Ｎ−２）
２２  拡大周辺基地局リスト
【図１】
2004242139.tif 000003
【図２】
2004242139.tif 000004
【図３】
2004242139.tif 000005
【図４】
2004242139.tif 000006